(57)【要約】【課題】ＰＥＴボトルからラベルを糊残りなく剥がせるとともに、ＰＥＴボトルにラベルが貼付された状態であったとしても、回収後ペレットにして熱アルカリ水溶液に漬けるとＰＥＴボトルから簡単にラベルが糊残りなく剥離し、再度ＰＥＴボトルに付着することがないアルカリ分散型ホットメルト粘着剤組成物を提供する。【解決手段】アルカリ分散型ホットメルト粘着剤組成物熱は、可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を含むことを特徴とする。【選択図】なし【特許請求の範囲】
【請求項１】
熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を含むことを特徴とするアルカリ分散型ホットメルト粘着剤組成物。
【請求項２】
無水マレイン酸をグラフト重合させたポリプロピレンワックス（Ｅ）の酸価が３０〜１００であることを特徴とする請求項１に記載のアルカリ分散型ホットメルト粘着剤組成物。
【請求項３】
熱可塑性エラストマー（Ａ）１５重量部以上２５重量部以下、ロジン系粘着付与剤（Ｂ）３０重量部以上４０重量部以下、テルペンフェノール樹脂（Ｃ）１重量部以上１０重量部以下、合成オイル（Ｄ）３０重量部以上４０重量部以下、無水マレイン酸をグラフト重合させたポリプロピレンワックス（Ｅ）１重量部以上１０重量部以下を合計１００重量部となるように配合してなる請求項１または２に記載のアルカリ分散型ホットメルト粘着剤組成物。
【請求項４】
軟化点が６０℃以上９５℃以下である請求項１〜３のいずれかに記載のアルカリ分散型ホットメルト粘着剤組成物。
【請求項５】
熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を９０℃以上１８０℃以下の溶解温度でブレンドすることを特徴とするアルカリ分散型ホットメルト粘着剤組成物の製造方法。
【請求項６】
請求項１〜４のいずれかに記載のアルカリ分散型ホットメルト粘着剤組成物を用いてラベルを接着した容器。
【請求項７】
ラベルが胴巻きラベルであることを特徴とする請求項６に記載の容器。
【請求項８】
容器がポリエチレンテレフタレートからなるプラスチック容器であることを特徴とする請求項６または７に記載の容器。
【請求項９】
ラベルがＯＰＰフィルムからなることを特徴とする請求項８に記載の容器。
【請求項１０】
ラベル印刷面に前記アルカリ分散型ホットメルト粘着剤組成物が塗工され、容器に接着されることを特徴とする請求項６〜９のいずれかに記載の容器。
【請求項１１】
請求項１〜４のいずれかに記載のアルカリ分散型ホットメルト粘着剤組成物をラベルに塗工して容器に貼り付けることを特徴とするラベルが接着された容器の製造方法。
【発明の詳細な説明】
【技術分野】
【０００１】
本発明は、アルカリ分散型ホットメルト粘着剤組成物、特に清涼飲料水、調味料，洗剤、シャンプー、食用油、化粧品、医薬品などに使用されているガラスビン、ＰＥＴ（ポリエチレンテレフタレート）ボトルなどのラベル用粘着剤として適した粘着剤組成物に関する。また、本発明のアルカリ分散型ホットメルト粘着剤組成物は、使用時は従来のものと同様に利用されるが、糊残りなく手剥がしが可能であるとともに、使用後熱アルカリ水溶液により簡単にラベルがＰＥＴボトルなどの容器から糊残りなく剥離するため、ＰＥＴボトルなどの容器のリサイクル特に適しているアルカリ分散型ホットメルト粘着剤組成物およびその製造方法、並びにこのアルカリ分散型ホットメルト粘着剤組成物を使用してラベルが接着された容器およびその製造方法に関する。
【背景技術】
【０００２】
近年、ＰＥＴボトルの生産量と共に飲料用としてのＰＥＴボトルの使用量も伸びている。使用されたＰＥＴボトルはゴミとして排出されるが、そのゴミの量をなるべく増やさないように、また資源としてリサイクルできるように再生資源利用促進法でリサイクルシステムが整ってきている。ＰＥＴボトルのリサイクルでは、使用後集められたＰＥＴボトルを８ｍｍ角ペレットにカッティングし、熱アルカリ（８５〜９０℃１．５％ＮａＯＨ）水溶液に約１５分間漬けてラベルを剥離した後、水洗・乾燥・風扇によりラベルを取り除き、ＰＥＴのペレットを再生している。
【０００３】
従来、ラベルは粘着剤によりボトルなどに通常手剥がしできない強度で接着されている。ＰＥＴボトルにおいては、ラベルとして胴巻ラベルが多く利用されており、粘着剤としては一般的にはホットメルト粘着剤が用いられている。しかし、ホットメルト粘着剤を用いた場合、温水やアルカリ水溶液に漬けてもラベルは剥がれないことから、前記ＰＥＴボトルのリサイクルの障害となっていた。
【０００４】
このようなことから、ＰＥＴボトルのラベルは、一部はホットメルト接着剤を用いるものからストレッチラベルやシュリンクラベルなどに置き換えられ、これによりＰＥＴボトルのリサイクルが可能となった。ストレッチラベルは、伸ばして離すと元に戻る輪ゴムの原理を利用するもので、胴状ラベルを伸ばしてペットボトルにかぶせ離してラベルを元に戻し、巻きつけて使用する。一方、シュリンクラベルはＰＥＴボトルにラベルをかぶせ、ヒーターや蒸気の熱で収縮させ、これによりフィルムを容器にすき間なく密着させる。しかし、ストレッチラベルやシュリンクラベルはコストがかかるという問題がある。
【０００５】
アルカリ水溶液に可溶性の粘着剤として、水性エマルジョン型粘着剤もあるが、水性エマルジョン型粘着剤はラベリング時作業場所が汚れるという問題や、作業中固形分濃度が変わるなど取扱い性などに問題がある。ホットメルト粘着剤を用い胴巻ラベルを接着する方法は、前記ストレッチラベルやシュリンクラベルなどに比べるとコストがかからないことから、ＰＥＴボトルのリサイクルに適した熱水やアルカリ水溶液に可溶性のホットメルト粘着剤についての開発が鋭意行われている。更に、ホットメルト粘着剤を用いた胴巻きラベルを用いた場合、ラベリング時のエネルギー消費量・二酸化炭素発生量は、シュリンクラベルの場合と比較していずれも約１０分の１程度で、環境に大変優しい。このような熱水又は熱アルカリ水溶液中で溶解又は分散するホットメルト粘着剤組成物として、ポリエステル共重合体が提案されている（例えば、特許文献１参照）。しかしながら、ポリエステルは、耐熱性が悪いために一部熱分解して接着強度が安定しないという問題がある。また、臭気があるなどの問題もある。
【０００６】
ＰＥＴボトルのリサイクルを行うために、ＰＥＴボトルリサイクル推進協議会では、関係団体や各省庁とともに、ＰＥＴボトルに関するさまざまな法整備、ガイドラインの策定を進め、ＰＥＴボトルのラベルについては、‘第二種指定ＰＥＴボトルの自主設計ガイドライン’を創り自主規制を行っている。この自主規制ではストレッチラベルやシュリンクラベルにするか、ＯＰＰ（延伸ポリプロピレン）フィルム、ＰＥ（ポリエチレン）フィルム、ＰＥＴフィルムなどのフィルムまたは紙ラベルを用いて、かつ熱水剥離，熱アルカリ剥離いずれかの方法でラベルが剥離しなければならなくなった。
【０００７】
ＰＥＴボトルからのラベルの剥離方法は、ＰＥＴボトルリサイクル推進協議会が出している‘指定ＰＥＴボトルの自主規制ガイドライン’による。すなわち、熱アルカリ剥離試験は、ラベル、印刷等を施したボトルをカッティングして作ったペレットを９０℃の１．５％ＮａＯＨ水溶液中にペレット濃度１０％（重量比）で浸漬し、１５分間ゆっくり攪拌する。次いで、フィルターで濾過しペレットの目視観察を行う。ラベルが剥離し、印刷インキ、接着剤等がボトルに残らない時は熱アルカリ剥離適性ありと判断する。
【０００８】
このような基準に適合するようなアルカリ分散型ホットメルト粘着剤組成物について、本出願人らは先に出願を行った（特許文献２参照）。このアルカリ分散型ホットメルト粘着剤組成物は、熱可塑性エラストマー（Ａ）、酸価が１００ｍｇＫＯＨ／ｇ以上３００ｍｇＫＯＨ／ｇ以下である固体粘着付与剤（Ｂ）、ワックス（Ｃ）および炭素数が６以上１８以下の脂肪酸のグリセライド（Ｄ）を含むもので、この粘着剤組成物を用いＰＥＴボトルに貼着されたラベルは、手剥がしすることができ、また熱アルカリ水溶液によりラベルは糊残りなく剥離し、ラベルの再付着もないことから、前記ガイドラインの基準に適合している。しかし、ラベルを手剥がしするときホットメルト粘着剤がＰＥＴボトルに残ってしまい、リサイクル業者によってはラベルが手剥がしされたＰＥＴボトルをリサイクル適合品としてしまうため、リサイクルを行うＰＥＴ樹脂にホットメルト粘着剤が混入してしまう。このため、ＰＥＴリサイクル推進協議会のリサイクル基準では、手剥がしにより糊残りが生じるものはＣランクとされている。ＰＥＴリサイクル推進協議会では、ＣランクのものはＢランク（熱アルカリ剥離適性ありおよび糊残りなく手剥がし可能）以上にするように働きかけているため、先に出願したアルカリ分散型ホットメルト粘着剤には問題点が残っている。
【０００９】
【特許文献１】特表平１１−５１２１３４号公報
【特許文献２】特開２００５−２２０２４４号公報
【発明の開示】
【発明が解決しようとする課題】
【００１０】
したがって、本発明の目的は、接着物を糊残りなく手剥がしすることができるとともに、熱アルカリ水溶液により基体から接着物を容易且つ糊残りなく剥がすことのできるアルカリ分散型ホットメルト粘着剤組成物を提供することである。
【００１１】
また、本発明の他の目的は、ガラス瓶やプラスチック容器などの基体に貼着された紙、ＯＰＰフィルム、ＰＥフィルム，ＰＥＴフィルムなどのラベル、特にＰＥＴボトルリサイクル推進協議会が出している‘第二種指定ＰＥＴボトルの自主設計ガイドライン’に適した、清涼飲料水やしょう油などのＰＥＴボトルの紙及びＯＰＰフィルムなど胴巻きラベルの接着剤として適合したホットメルト粘着剤組成物で、ラベル使用時冷却などを行う際水の中に入れてもラベルは剥離しないが、回収後ペレットにして熱アルカリ水溶液に漬けるとＰＥＴボトルから簡単にラベルは糊残りなく剥離し、再度ＰＥＴペレットに付着することがないアルカリ分散型ホットメルト粘着剤組成物を提供することである。
【００１２】
さらに、本発明の他の目的は、上記特性に加え、ラベルを所定の強度で貼着させることができ、接着強度の温度依存性が低く、通常の利用時には剥離することはないが、手剥がしにより糊残りなく剥離することができるアルカリ分散型ホットメルト粘着剤組成物を提供することある。
【００１３】
また、本発明の他の目的は、上記特性を有するアルカリ分散型ホットメルト粘着剤組成物の製造方法を提供することである。
【００１４】
また、本発明の他の目的は、上記特性を有するアルカリ分散型ホットメルト粘着剤組成物を用いて胴巻きラベルを接着した容器を提供することを目的とするものである。
【００１５】
また、本発明の他の目的は、上記特性を有するアルカリ分散型ホットメルト粘着剤組成物を用いて胴巻きラベルを接着した容器の製造方法を提供することである。
【課題を解決するための手段】
【００１６】
本発明は、以下のアルカリ分散型ホットメルト粘着剤組成物およびその製造方法並びに容器およびその製造方法に関する。
［１］熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を含むことを特徴とするアルカリ分散型ホットメルト粘着剤組成物。
【００１７】
［２］無水マレイン酸をグラフト重合させたポリプロピレンワックス（Ｅ）の酸価が３０〜１００であることを特徴とする上記［１］項に記載のアルカリ分散型ホットメルト粘着剤組成物。
【００１８】
［３］熱可塑性エラストマー（Ａ）１５重量部以上２５重量部以下、ロジン系粘着付与剤（Ｂ）３０重量部以上４０重量部以下、テルペンフェノール樹脂（Ｃ）１重量部以上１０重量部以下、合成オイル（Ｄ）３０重量部以上４０重量部以下、無水マレイン酸をグラフト重合させたポリプロピレンワックス（Ｅ）１重量部以上１０重量部以下を合計１００重量部となるように配合してなる上記［１］項または［２］項に記載のアルカリ分散型ホットメルト粘着剤組成物。
【００１９】
［４］軟化点が６０℃以上９５℃以下である上記［１］項〜［３］項のいずれかに記載のアルカリ分散型ホットメルト粘着剤組成物。
【００２０】
［５］熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を９０℃以上１８０℃以下の溶解温度でブレンドすることを特徴とするアルカリ分散型ホットメルト粘着剤組成物の製造方法。
【００２１】
［６］上記［１］項〜［４］項のいずれかに記載のアルカリ分散型ホットメルト粘着剤組成物を用いてラベルを接着した容器。
【００２２】
［７］ラベルが胴巻きラベルであることを特徴とする上記［６］項に記載の容器。
【００２３】
［８］容器がＰＥＴ（ポリエチレンテレフタレート）からなるプラスチック容器であることを特徴とする上記［６］項または［７］項に記載の容器。
【００２４】
［９］ラベルがＯＰＰフィルムからなることを特徴とする上記［８］項に記載の容器。
【００２５】
［１０］ラベル印刷面に前記アルカリ分散型ホットメルト粘着剤組成物が塗工され、容器に接着されることを特徴とする上記［６］項〜［９］項のいずれかに記載の容器。
【００２６】
［１１］上記［１］項〜［４］項のいずれかに記載のアルカリ分散型ホットメルト粘着剤組成物をラベルに塗工して容器に貼り付けることを特徴とするラベルが接着された容器の製造方法。
【発明の効果】
【００２７】
本発明のアルカリ分散型ホットメルト粘着剤組成物は、通常の使用状態では貼着されたラベルなどが剥離することはないが、手により容器などの基材からラベルなどを糊残りなく剥がすことができ、また例えばガラス瓶、ＰＥＴボトルにラベルが貼付された状態であったとしても、熱アルカリ水溶液に漬けると容器などから簡単にラベルが糊残りなく剥離し、再付着することもない。
【００２８】
また、本発明のアルカリ分散型ホットメルト粘着剤組成物は、ＰＥＴボトルリサイクル推進協議会が出している‘指定ＰＥＴボトルの自主規制ガイドライン’の熱アルカリ水によるラベルの剥離要件、および手剥がしにより糊残りなく剥離できるという要件を満たすことから、ＰＥＴボトルにラベルを接着する際の粘着剤として好ましく利用することができる。
【発明を実施するための最良の形態】
【００２９】
以下、本発明のアルカリ分散型ホットメルト粘着剤組成物およびその製造方法並びに容器およびその製造方法について、更に詳細に説明する。
【００３０】
まず、本発明のアルカリ分散型ホットメルト粘着剤組成物は、上記したように、熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を含むことを特徴とするものである。
【００３１】
上記熱可塑性エラストマー（Ａ）は、本発明のアルカリ分散型ホットメルト粘着剤のベースポリマーとなるものである。熱可塑性エラストマーとは、常温では加硫ゴムと同様な性質を持ち、弾性のある材料をいい、恒温では普通の熱可塑性樹脂と同じく、既存の成形機をそのまま使用できる高分子材料である。熱可塑性エラストマーは、分子中に弾性を持つゴム成分（ソフトセグメント：軟質相）と塑性変形を防止するための分子拘束成分（ハードセグメント：硬質相）との両方を持っているためゴムとプラスチックの中間の性質を持つ。熱可塑性エラストマーは、（ａ）スチレン系（スチレンブロックポリマー）、（ｂ）オレフィン系、（ｃ）ウレタン系、（ｄ）ポリエステル系、（ｅ）ポリアミド系、（ｄ）１，２ブタジエン系、（ｆ）塩ビ系などが知られており、いずれも本発明の熱可塑性エラストマーとして使用可能であるが、その中でも、スチレン系が好ましい。スチレン系熱可塑性エラストマーは、一般的にポリスチレンブロックとゴム中間ブロックとを有し、ポリスチレン部分が物理的架橋（ドメイン）を形成して橋掛け点となり、中間のゴムブロックは製品にゴム弾性を与える。中間のソフトセグメントにはポリブタジエン（Ｂ）．ポリイソプレン（Ｉ）及びポリオレフィンエラストマー（エチレン・プロピレン，ＥＢ）があり、ハードセグメントのポリスチレン（Ｓ）との配列の様式によって、直鎖状（リニアタイプ）及び放射状（ラジカルタイプ）とに分かれる。前記した好ましいスチレン系エラストマーの中でも、本発明では、スチレン−エチレン・ブチレン−スチレンブロックポリマー（ＳＥＢＳ）、スチレン−エチレン・プロピレン−スチレンブロックポリマー（ＳＥＰＳ）、スチレン−イソプレン−スチレンブロックポリマー（ＳＩＳ）、スチレン−ブチレン・ブタジエン−スチレンブロックポリマー（ＳＢＢＳ）等が好ましく用いられ、より好ましくは、スチレン−エチレン・ブチレン−スチレンブロックポリマー（ＳＥＢＳ）である。
【００３２】
また、本発明では（Ｂ）成分として、酸価が１００ｍｇＫＯＨ／ｇ以上３００ｍｇＫＯＨ／ｇ以下であるロジン系粘着付与剤が用いられる。ロジンは、松から得られる琥珀色、無定形の天然樹脂で、製造の違いでガムロジン，ウッドロジン，トール油ロジンに分けられる。その主成分は、３つの環構造、共役２重結合、カルボキシル基を有するアビエチン酸とその異性体の混合物であり、反応性に富んだバルキーな構造を有している。反応性が高い為に熱安定性が悪く、一般的にロジンを水添あるいは酸変性し、安定性を良好にしている。本発明の酸価が１００ｍｇＫＯＨ／ｇ以上３００ｍｇＫＯＨ／ｇ以下であるロジン系粘着付与剤（Ｂ）としては、前記酸価を有する生ロジン（変性処理されていないロジン）、水添ロジン、（メタ）アクリル酸変成ロジン、水添（メタ）アクリル酸変成ロジン、マレイン酸変成ロジン、水添マレイン酸変成ロジン、フマール酸変性ロジン、水添フマール酸変成ロジン等が挙げられ、好ましくは、水添ロジンまたは（水添）アクリル酸変成ロジン等であり、さらに好ましくは前記酸変性および／または水素添加を行なったものであり、更に好ましくは水素添加したロジン系粘着付与剤である。酸価が１００ｍｇＫＯＨ／ｇ未満であるとアルカリ分散性がなくなってしまうという問題が生じ、一方、３００ｍｇＫＯＨ／ｇより大きいとホットメルト組成物の粘度が高くなるとか、軟化点が高くなるという問題が生じる。
【００３３】
なお、酸価は、試料１ｇを中和するに要する水酸化カリウム（ＫＯＨ）のｍｇ数である。これは、例えば、次のような方法により測定される。まず試料を精密に量り、２５０ｍｌのフラスコに入れ、エタノールまたはエタノールおよびエーテルの等容量混液５０ｍｌを加え、加温して溶かし、しばしば振り混ぜながら０．１Ｎ水酸化カリウム液で滴定する（指示薬：フェノールフタレイン）。滴定の終点は、液の淡紅色が３０秒残存する点とする。次いで、同様の方法で空試験を行って補正し、次の式から酸価の値を求める。
酸価＝〔０．１Ｎ水酸化カリウム液の消費量（ｍｌ）×５．６１１〕／〔試料量（ｇ）〕
【００３４】
また、テルペンフェノール樹脂（Ｃ）は、環状テルペンモノマーとフェノール類とを、例えば有機溶媒中でフリーデルクラフツ型触媒存在下に共重合することにより得られたものである。本発明においては、得られたテルペンフェノール樹脂を水素添加処理した水添テルペンフェノール樹脂であってもよい。前記テルペンモノマーは、単環のテルペンモノマーであっても良いし、双環のテルペンモノマーであってもよい。これらテルペンモノマーとしては、ピネン，リモネン，イソリモネン，カンフェン，テルピネン，テルピノレン，フェランドレン，ボルニレンなどや、それらの混合物であるα−ピネン，β−ピネン主体のガムテレピン油，松根油，ｄ−リモネン主体のジペンテン等の環状モノテルペン類が挙げられる。前記フェノール類としては、フェノール、クレゾール、キシレノール、ｔ−ブチルフェノール、オクチルフェノール、ノニルフェノール、フェニルフェノール等のアルキル置換フェノール及びメトキシフェノールなどのアルコキシ置換フェノール、カテコール、レゾルシノール、ヒドロキノン、ピロガロール等の多価フェノール類、クロロフェノール、ブロモフェノール等のハロゲン化フェノール、ナフトール、ジオキシナフタレン、ビスフェノールＡなどが挙げられ、好ましくはフェノールであるとしてはフェノール、クレゾール等が挙げられる。テルペンフェノール樹脂は例えばヤスハラケミカル（株）から
“ＹＳポリスター”、“マイティーエース”の商品名で各種のグレードが市販されており容易に入手できる。その他、荒川化学工業（株）から“タマノル”の商品名でも市販されている。軟化点が２０〜１６０℃のものが好ましい。
【００３５】
本発明で用いられる合成オイル（Ｄ）は、ゴムや熱可塑性エラストマー等の可塑剤として一般的に使用されるオイル、いわゆる石油精製等において生産されるプロセスオイルであり、パラフィン系プロセスオイル、ナフテン系プロセスオイル、芳香族系プロセスオイルに大別される。プロセスオイルは、芳香族環・ナフテン環・パラフィン鎖の混合物であり、一般に全炭素の芳香族炭素が３０％以上のものを芳香族系、ナフテン環炭素が３５〜４５％のものをナフテン系、パラフィン鎖炭素が５０％以上のものをパラフィン系と分類している。パラフィン系原油を蒸留・水素化改質・溶剤抽出・溶剤脱ロウなどを行うことによりパラフィン系オイル、芳香族系オイルなどに分離される。ナフテン系原油も蒸留・溶剤抽出などを行うことによりナフテン系オイル、芳香族系オイルなどに分離される。本発明においては、合成オイルは、好ましくは、ナフテン系オイル、芳香族系オイルである。市販品としては、出光興産（株）から“ダイアナフレシア”、“ダイアナプロセスオイル”などの商品名で、また富士興産（株）から“フッコール  ニューフレックス”、“フッコール  フレックス”などの商品名で種々のグレードのものが市販されている。
【００３６】
本発明で用いられる無水マレイン酸をグラフト重合させたポリプロピレンワックス（Ｅ）は、ポリプロピレンワックスに無水マレイン酸がグラフト重合されたものであればどのようなものでもよい。無水マレイン酸がグラフト重合されたポリプロピレンワックスは、例えば、押出機などでポリプロピレンワックスと無水マレイン酸および過酸化物を混合してポリプロピレンワックスに無水マレイン酸をグラフト重合させることにより製造することができる。原料として使用されるポリプロピレンワックスは、従来知られたものであればいずれのものでもよく、特に限定されるものではない。ポリプロピレンワックスの製造は、ポリマーを分解して製造する方法あるいはモノマーを重合して製造する方法によって行われる。分解法は、ポリマーを熱溶融させた状態で、ポリマー鎖をせん断応力により切断して製造される。一方、重合法は、例えば、ポリプロピレンモノマーをアニオン重合させることによりに製造される。
【００３７】
本発明において、無水マレイン酸をグラフト重合させたポリプロピレンワックス（Ｅ）は、酸価が３０〜１００で、ＤＳＣ融点が６０〜１５０℃のものが好ましい。なお、ＤＳＣ融点は、次のような測定法により測定されたものである。すなわち、測定装置としてパーキンエルマー社製パーキンエルマーＰｙｒｉｓ  １を用い、その測定は、はじめに０℃で５分保持した後、１７０℃まで１０℃／分のスピードで昇温後、１７０℃を１分間保持し、その後０℃まで４０℃／分のスピードで降温し、１分間０℃を保持した後に、１７０℃まで再度１０℃／分のスピードで昇温したときの融点測定値をＤＳＣ融点とした（以下、同じ）。
【００３８】
無水マレイン酸をグラフト重合させたポリプロピレンワックスは、無水マレイン酸変性ポリプロピレンワックスとして、クラリアントジャパン（株）から「リコセンＰＰＭＡ」の商品名で、またベーカーペトロライト社からはＸ−１００１６の商品名で市販されている。ちなみに、クラリアントジャパン（株）のリコセンＰＰＭＡ６２５２、１４６２、６４５２、７４５２およびベーカーペトロライト社のＸ−１００１６は、次のような物性値を有している。なお、溶融粘度の測定は、ＪＩＳ（日本工業規格、ＪＡＰＡＮ  Ｉｎｄｕｓｔｒｉａｌ  Ｓｔａｎｄａｒｄ）  Ｋ６８６２（Ａ法）に準じて行われた。
【００３９】
【表１】
2010090185.tif 000002
【００４０】
本発明のアルカリ分散型ホットメルト粘着剤組成物は、熱可塑性エラストマー（Ａ）１５〜２５重量部、ロジン系粘着付与剤（Ｂ）３０〜４０重量部、テルペンフェノール樹脂（Ｃ）１〜１０重量部、合成オイル（Ｄ）３０〜４０重量部および無水マレイン酸をグラフト重合させたポリプロピレンワックス（Ｅ）を、合計１００重量部となるように配合したものが好ましい。
【００４１】
本発明においては、熱可塑性エラストマー（Ａ）は、粘着剤の凝集力を上げるために用いられる。その配合量が１５重量部未満の場合には、ラベルを手剥がしした時に糊残りするという問題が起こる。また、熱可塑性エラストマー（Ａ）の配合量が２５重量部より多い場合には、‘第二種指定ＰＥＴボトルの自主設計ガイドライン’に規定される熱アルカリ水による剥離要件を達成することが難しくなる。
【００４２】
また、ロジン系粘着付与剤（Ｂ）は、基材との接着力を強くするために用いられる。その配合量が３０重量部未満の場合には、前記ガイドラインに規定される熱アルカリ水による剥離要件を達成できないという問題および常温での接着強度の低下が生じるという問題が起こり、また４０重量部より多い場合には、ラベルを手剥がしした時に糊残りするという問題が起こる。
【００４３】
さらに、テルペンフェノール樹脂（Ｃ）は、低温での接着力を強くするために用いられる。その配合量が１重量部未満の場合には、低温接着性の低下が生じるし、一方１０重量部より多い場合には、高温接着強度の低下が起こるという問題が生じる。
【００４４】
合成オイル（Ｄ）は、手剥がし性および手剥がしした際のＰＥＴボトルなどへの糊残りをなくすために用いられる。その配合量が３０重量部未満の場合には、低温接着性及び低温接着強度の低下が起こり、４０重量部より多い場合には、アルカリ剥離しないという問題、高温接着強度の低下の問題が生じる。
【００４５】
さらに、無水マレイン酸をグラフト重合させたポリプロピレンワックス（Ｅ）は、ラベル、特にＯＰＰラベルでの接着力を強くするために用いられる。その配合量が１重量部未満の場合には、ＯＰＰラベルとの接着強度低下、ラベルを手剥がしした時に糊残りするという問題が起こり、１０重量部より多い場合には、アルカリ剥離しないという問題が起こる。
【００４６】
本発明のアルカリ分散型ホットメルト粘着剤組成物においては、必要に応じ、熱劣化、熱分解を防ぐための酸化防止剤、蛍光発色剤などの色材などを添加することができる。
【００４７】
アルカリ分散型ホットメルト粘着剤組成物の軟化点は、６０℃以上９５℃以下が好ましく、６０℃以上８５℃以下がより好ましい。軟化点が６０℃未満の場合ＰＥＴボトルを温めた場合ラベルが簡単に剥離することがあり、９５℃を超える場合、ホットメルト粘着剤組成物をＰＥＴボトルに塗布する時にホットメルト粘着剤をスクレイパーという棒に塗布して、加熱したロールに転写しながらＰＥＴボトルに塗布するが、スクレイパーが加熱されていないためにアルカリ分散型ホットメルト粘着剤組成物が固まり始め、周りを汚染することがある。なお、軟化点は、ＪＩＳ  Ｋ  ６８６３−１９９４による環球法による軟化点試験方法によった。
【００４８】
アルカリ分散型ホットメルト粘着剤組成物の１４０℃での粘度は、３００ｍＰａ・ｓ以上２，５００ｍＰａ・ｓ以下であることが好ましい。アルカリ分散型ホットメルト粘着剤組成物の粘度が３００ｍＰａ・ｓ未満であるとアルカリ分散型ホットメルト粘着剤組成物をＰＥＴボトルに塗布する時ＰＥＴボトルやラベルに塗布する加熱ロールやスクレイパーからアルカリ分散型ホットメルト分散型粘着剤組成物が垂れてしまいＰＥＴボトルやラベルにアルカリ分散型ホットメルト分散型粘着剤組成物が上手く塗布できない（塗工量が少なくなってしまう）。また、アルカリ分散型ホットメルト粘着剤組成物の１４０℃での粘度が２，５００ｍＰａ・ｓを超えると加熱ロールやスクレイパーにアルカリ分散型ホットメルト粘着剤組成物が固まり始め、周りを汚染することがある。
【００４９】
本発明のアルカリ分散型ホットメルト粘着剤組成物は、各所定量の熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を、溶融、ブレンドして均一混合物とすることにより製造される。溶融、ブレンド温度は、９０℃以上１８０℃以下が好ましい。溶融温度が９０℃未満であると、ブレンドが上手くできないという問題があり、一方１８０℃を超える場合には、熱劣化による褐色化や熱分解などの問題が生じる。ブレンドのための装置としては、攪拌機、押出機など従来から周知、公知のブレンド装置を用いることができる。このとき、溶融、ブレンドの方法、溶融、ブレンドの順序は任意でよいが、例えば、まず所定量のテルペンフェノール樹脂（Ｃ）および合成オイル（Ｄ）をブレンダー容器内で投入し、溶融し、攪拌を続けながら、熱可塑性エラストマー（Ａ）、ロジン系粘着付与剤（Ｂ）、無水マレイン酸をグラフト重合させたポリプロピレンワックス（Ｅ）を順次投入、ブレンドして、均一混合物とすることにより形成される。また、これらを二軸押出機で同時に溶融、攪拌してもよい。
【００５０】
本発明のアルカリ分散型ホットメルト粘着剤組成物は、紙、プラスチックフィルムなどをガラス、プラスチック、金属などの種々の基材に接着するための粘着剤として用いることができる。本発明のアルカリ分散型ホットメルト粘着剤組成物は、前記のとおり手による剥離が可能であり、貼り付けられた紙、フィルムなどを熱アルカリ水により簡単に剥離することができることから、清涼飲料水、調味料，洗剤、シャンプー、食用油、化粧品、医薬品などに使用されているガラス瓶などのガラス容器やＰＥＴ（ポリエチレンテレフタレート）ボトルなどのプラスチック容器のラベル用粘着剤として用いることが好ましい態様として挙げられる。しかし本発明の粘着剤の用途はこのラベル用途に限られるものではなく、ガムテープ用、クリヤケース用，組み立て用など、従来知られた全ての用途の粘着剤として用いることができる。しかし、実施例において具体的に示すように、本発明のアルカリ分散型粘着剤組成物は、ＰＥＴボトルリサイクル推進協議会が出している‘指定ＰＥＴボトルの自主規制ガイドライン’の熱アルカリ水によるラベルの剥離要件および手剥がしの際に糊残りなく剥離できるという要件を満たすことから、ＰＥＴボトルにラベルを接着する際の粘着剤としての用途、すなわちＰＥＴボトルのリサイクル適合粘着剤用途が特に好ましいものである。
【００５１】
上記の如く、本発明のアルカリ分散型ホットメルト粘着剤組成物は、ＰＥＴボトルのラベルの接着に用いられることが好ましい。ＰＥＴボトルのラベル基材としては通常、ＯＰＰ、ＰＥ、ＰＥＴさらには紙なども用いられている。また、ラベルには、ラベルに粘着剤が塗布される面と反対側、すなわちラベルの表面、あるいは粘着剤が塗布される面、すなわちラベルの裏面に適宜印刷などが施されたものが用いられている。本発明のアルカリ分散型ホットメルト粘着剤組成物は、裏面に印刷が施された、裏面印刷面に塗布することもできるし、勿論裏面に印刷が施されていないものに塗布されてもよく、いずれの場合にも、所定の接着性、剥離性と熱アルカリ水溶解性を示す。また、印刷は、ラベル裏面の全面が印刷されたものであってもよいし、面の一部が印刷されたものであってもよい。印刷は、グラビア印刷，ＵＶ印刷など、従来知られた印刷法の何れの方法により行われたものでもよい。
【００５２】
ＰＥＴボトルにおいては、ＰＥＴボトルの胴周りの一部にラベルが貼着されたもの他、ボトルの胴周り全てを覆うように巻きまわされた胴巻きラベルが利用されており、このような胴巻きラベルとしてはＯＰＰフィルムが多用されている。本発明のアルカリ分散型ホットメルト粘着剤組成物は、このようなＯＰＰフィルムなどの胴巻きラベルについても、裏面に印刷がなされているものも、印刷がなされていないものも同様に、良好な接着を行うことができる。本発明のアルカリ分散型ホットメルト粘着剤組成物は、ラベル裏面全面に塗工されてもよいが、粘着剤組成物の塗工はラベル裏面の一部であってもよい。塗布方式としては、オープンホイール方式、クローズガン方式、ダイレクトコート方式などがある。剥がしたときにＰＥＴボトルなどに糊が残らない方式としては、オープンホイール方式、ダイレクトコート方式が好ましい。
【００５３】
本発明のアルカリ分散型ホットメルト粘着剤組成物を用いてＰＥＴボトルにラベルを貼付するには、例えば、装置としてオープンホイール方式のものを用い、１２０〜１５０℃程度の温度で溶融されたホットメルト粘着剤組成物をラベル裏面に塗工し、この粘着剤の塗工されたラベルをＰＥＴボトルに貼付することにより行われる。
【実施例】
【００５４】
以下、本発明を実施例および比較例を挙げてさらに具体的に説明する。しかし、本発明は以下の実施例に限定されるものではない。
【００５５】
なお、以下の実施例では、熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）として、以下のものが用いられた。
【００５６】
熱可塑性エラストマー（Ａ）
・クレイトンＧ１６５０（クレイトンポリマー社製）（以下、「Ｇ１６５０」と略記する。）
スチレン−エチレン・ブチレン−スチレンブロックポリマー（ＳＥＢＳ）
溶融粘度＊１；１，８，０００ｍＰａ・ｓ
・クレイトンＧ１６５２（クレイトンポリマー社製）（以下、「Ｇ１６５２」と略記する。）
スチレン−エチレン・ブチレン−スチレンブロックポリマー（ＳＥＢＳ）
溶融粘度＊１；１，３５０ｍＰａ・ｓ
・クレイトンＧ１７２６（クレイトンポリマー社製）（以下、「Ｇ１７２６」と略記する。）
スチレン−エチレン・ブチレン−スチレンブロックポリマー（ＳＥＢＳ）
溶融粘度＊１：２００ｍＰａ・ｓ
なお、溶融粘度＊１は、熱可塑性エラストマー濃度２５ｗｔ％トルエン溶液の２５℃での溶融粘度である。溶融粘度の測定は、Ｂ型粘度計ＲＢ８０Ｌ（東機産業社製）を用い、ローターＮｏ．３を用いて適した回転数で行った。
【００５７】
ロジン系粘着付与剤（Ｂ）
・リカロジンＦ（理化ファインテク社製）
酸価：１７５ｍｇＫＯＨ／ｇ
軟化点：７２℃
・ＫＥ−６０４（荒川化学社製）
水添アクリル酸変性ロジン
酸価：２４０ｍｇＫＯＨ／ｇ
軟化点：１２５℃， 
【００５８】
テルペンフェノール樹脂（Ｃ）
・ＹＳポリスターＴ３０（ヤスハラケミカル社製）（以下、「Ｔ−３０」と略記する。）
軟化点３０℃のテルペンフェノール共重合体
【００５９】
合成オイル（Ｄ）
・ダイアナフレシアＮ−９０（出光興産社製）（以下、「ダイアナＮ９０」と略記する。）
ナフテン系プロセスオイル
【００６０】
無水マレイン酸変性ポリプロピレン（ＰＰ）ワックス（Ｅ）
・リコセンＰＰＭＡ６２５２（クラリアントジャパン社製）（以下、「ＰＰＭＡ６２５２」と略記する。）
酸価：４０ｍｇＫＯＨ／ｇ
ＤＳＣ融点：１２７℃
・リコセンＰＰＭＡ１４６２（クラリアントジャパン社製）（以下、「ＰＰＭＡ１４６２」と略記する。）
酸価：５０ｍｇＫＯＨ／ｇ
ＤＳＣ融点：６６℃
・Ｘ−１００１６（ベーカーヒューズ社製）
酸価：６０ｍｇＫＯＨ／ｇ
ＤＳＣ融点：１１７℃
【００６１】
また、比較例においては、以下の材料が用いられた。
熱可塑性エラストマー（Ａ）
・Ｇ１６５２
・Ｇ１７２６
【００６２】
粘着付与剤
・リカタックＦ（理化ファインテク社製）
酸価：１６８ｍｇＫＯＨ／ｇ
軟化点：７５℃
【００６３】
テルペンフェノール樹脂（Ｃ）
・Ｔ−３０
【００６４】
合成オイル（Ｄ）
・ダイアナＮ９０
脂肪酸のグリセライド
・やし油：精製ヤシ油ケミカル（月島食品工業社製）
（Ｃ６−Ｃ１８）
液状ゴム
・ハイモール４Ｈ（新日本石油社製）
ポリイソブチレン
粘度平均分子量：４００００
【００６５】
ワックス（エチレン−アクリル酸共重合体）
・Ａ−Ｃ５１２０（Ａｌｌｉｅｄ  Ｃｈｅｍｉｃａｌ社製）
酸価：１２０ｍｇＫＯＨ／ｇ
ＤＳＣ融点：６６℃
・Ａ−Ｃ５１８０（Ａｌｌｉｅｄ  Ｃｈｅｍｉｃａｌ社製）
酸価：１８０ｍｇＫＯＨ／ｇ
ＤＳＣ融点：４３℃
ポリプロピレン（ＰＰ）ワックス
・ＮＰ０５５（三井化学社製）
酸価：０ｍｇＫＯＨ／ｇ
ＤＳＣ融点：１３６℃
パラフィンワックス
・１４０℃パラフィン
酸価：０ｍｇＫＯＨ／ｇ
ＤＳＣ融点：６１℃
【００６６】
実施例１
＜アルカリ分散型ホットメルト粘着剤組成物の作成方法＞
攪拌機を備えたステンレスビーカーに、テルペンフェノール樹脂；Ｔ−３０を１０重量部および合成オイル；ダイアナＮ９０を３１重量部投入し、加熱して溶融した。加熱は内容物が１５０℃以上にならないように注意して行った。溶融後攪拌を行い、均一溶融溶液とした後、１５０℃以下の温度を保ちながら、かつ攪拌を続けながら、この溶融物に熱可塑性エラストマー；Ｇ１６５０を１６重量部徐々に加え、添加終了後、次にロジン系粘着付与剤；リカロジンＦを３９重量部加え、最後に無水マレイン酸をグラフト重合させたポリプロピレンワックス；ＰＰＭＡ１４６２を４重量部添加して、溶融均一混合物とし、冷却してアルカリ分散型ホットメルト粘着剤組成物を作製した。
【００６７】
得られたアルカリ分散型ホットメルト粘着剤組成物の軟化点は６４℃、１４０℃の粘度は８００ｍＰａ・ｓであった。なお、１４０℃の粘度の測定は、以下の方法により行った。
【００６８】
＜１４０℃の粘度の測定方法＞
１４０℃の粘度の測定は、ＪＩＳ  Ｋ６８６２（Ａ法）に準じて行った。予め１５０℃付近まで溶融させたホットメルト粘着剤組成物３００ｇを試験容器に入れ、大気中において棒温度計で充分に攪拌しながら１４０℃になったところでＢ型温度計（東機産業（株）社製ＴＯＫＩＭＥＣ  ＶＩＳＣＯＭＥＴＥＲ  ＭＯＤＥＬ：ＢＭ）を用いて行った。ローターは、必要に応じて適当なものを用いた。
【００６９】
また、得られたアルカリ分散型ホットメルト粘着剤組成物のアルカリ剥離性、糊残り性、接着性（接着強度）（対ＯＰＰ、および対ＰＥＴ）を下記の方法により行い、評価した。実施例１のアルカリ分散型ホットメルト粘着剤組成物のアルカリ剥離性、糊残り性はいずれも○であり、接着性（対ＯＰＰ）は０．９Ｎ／１５ｍｍであり、接着性（対ＰＥＴ）は１．５Ｎ／１５ｍｍであった。
【００７０】
なお、前記アルカリ剥離性、糊残り性および接着性（対ＰＥＴ）の各測定に際しては、まずサクミラベラー社製ラベラーで、速度８０ｂｐｍにて、２Ｌ長角ＰＥＴボトルに、厚さ５０μｍのＯＰＰフィルムに印刷を施したラベルにホットメルト粘着剤組成物を塗工量２０〜３０ｍｇ／本、塗工面積１５ｃｍ2で塗工して貼り付けて（温度条件：１４０℃）、胴巻きラベルを接着した試験用容器を作製し、この容器を利用して測定が行われた。
【００７１】
＜アルカリ剥離性＞
試験用容器を約８×８ｍｍ角に粉砕して、ラベルが付いた状態のＰＥＴボトルのペレットとした。１０００ｍｌ丸型フラスコに、８５〜９０℃の１．５ｗｔ％水酸化ナトリウム水溶液９０ｇと前記ペレット１０ｇを入れて、２５０ｒｐｍで攪拌（攪拌羽：プロペラ）した。１５分後フィルターで濾過し、ペレットを目視観察し、ラベルが剥離し、ホットメルト粘着剤組成物がＰＥＴボトルに残らない場合：○、ラベルがＰＥＴボトルに残ったり、ホットメルト粘着剤組成物がＰＥＴボトルに残ったり再付着した場合：×とした。
【００７２】
＜糊残り性＞
試験用容器からラベルを手で剥がした時に、ホットメルト粘着剤組成物のＰＥＴボトルへの付着があるかを判定した。試験は、温度２３℃、湿度６５％の恒温恒湿内で行った。ホットメルト粘着剤組成物がＰＥＴボトルに残らない場合：○、ホットメルト粘着剤組成物がＰＥＴボトルに残る場合：×とした。
【００７３】
＜接着強度（対ＯＰＰ）＞
測定は、ホットメルト粘着剤をＯＰＰフィルムの印刷面に塗工したサンプルを１５ｍｍ幅に切断し、これをＯＰＰフィルムに貼り付け、温度２３℃、湿度６５％の恒温恒湿室中で、１８０度角剥離（剥離速度：３００ｍｍ／分）で行った。
【００７４】
＜接着強度（対ＰＥＴ）＞
測定は、ラベルを貼りつけた試験用容器を１５ｍｍ幅に切断し、温度２３℃、湿度６５％の恒温恒湿室中で、１８０度角剥離（剥離速度：３００ｍｍ／分）で行った。
なお、接着強度は、対ＯＰＰ、対ＰＥＴ共に、０．４Ｎ／１５ｍｍ以上であれば○、０．４Ｎ／１５ｍｍ未満あれば×である。
【００７５】
実施例２〜６
熱可塑性エラストマー（Ａ）、ロジン系粘着付与剤（Ｂ）、テルペンフェノール樹脂（Ｃ）、合成オイル（Ｄ）、無水マレイン酸をグラフト重合させたポリプロピレンワックス（Ｅ）として、下記表２に記載の成分を、表２に記載の量用いることを除き、実施例１と同様にして、実施例２〜６のアルカリ分散型ホットメルト粘着剤組成物を作製した。
【００７６】
【表２】
2010090185.tif 000003
【００７７】
実施例２〜６のアルカリ分散型ホットメルト粘着剤組成物の軟化点、１４０℃の粘度、アルカリ剥離性、糊残り性、接着性（接着強度）（対ＯＰＰ、および対ＰＥＴ）を実施例１と同様の方法で測定、評価した。結果を表３に示す。
【００７８】
【表３】
2010090185.tif 000004
【００７９】
比較例１
＜アルカリ分散型ホットメルト粘着剤組成物の作成方法＞
攪拌機を備えたステンレスビーカーに、ワックスＡ−Ｃ５１２０を１０重量部、テルペンフェノール樹脂；Ｔ−３０を２．５重量部およびヤシ油（Ｃ６−Ｃ１８）を１０重量部投入し、加熱して溶融した。加熱は内容物が１５０℃以上にならないように注意して行った。溶融後攪拌を行い、均一溶融溶液とした後、１５０℃以下の温度を保ちながら、かつ攪拌を続けながら、この溶融物に熱可塑性エラストマー；Ｇ１６５２を１０重量部徐々に加え、添加終了後、次にテルペンフェノール樹脂；Ｔ−３０の２．５重量部を加え、最後に粘着付与剤；リカタックＦを６５重量部添加して、溶融均一混合物とし、冷却してアルカリ分散型ホットメルト粘着剤組成物を作製した。
【００８０】
得られたアルカリ分散型ホットメルト粘着剤組成物の軟化点および１４０℃の粘度を実施例１と同様にして測定したところ、軟化点は６３℃、１４０℃の粘度は６００ｍＰａ・ｓであった。
【００８１】
また、得られたアルカリ分散型ホットメルト粘着剤組成物のアルカリ剥離性、糊残り性、接着性（接着強度）（対ＯＰＰ、および対ＰＥＴ）を実施例１と同様の方法で測定した。結果を表５に示す。
【００８２】
比較例２
攪拌機を備えたステンレスビーカーに、ワックスＡ−Ｃ５１８０を５重量部、テルペンフェノール樹脂；Ｔ−３０を２．５重量部およびヤシ油（Ｃ６−Ｃ１８）を５重量部、液状ゴム；ハイモール４Ｈを１０重量部投入し、加熱して溶融した。加熱は内容物が１５０℃以上にならないように注意して行った。溶融後攪拌を行い、均一溶融溶液とした後、１５０℃以下の温度を保ちながら、かつ攪拌を続けながら、この溶融物に熱可塑性エラストマー；Ｇ１７２６を１５重量部徐々に加え、添加終了後、次にテルペンフェノール樹脂；Ｔ−３０の２．５重量部を加え、最後に粘着付与剤；リカタックＦを６０重量部添加して、溶融均一混合物とし、冷却してアルカリ分散型ホットメルト粘着剤組成物を作製した。
【００８３】
得られたアルカリ分散型ホットメルト粘着剤組成物の軟化点および１４０℃の粘度を実施例１と同様にして測定したところ、軟化点は６５℃、１４０℃の粘度は３００ｍＰａ・ｓであった。
【００８４】
また、得られたアルカリ分散型ホットメルト粘着剤組成物のアルカリ剥離性、糊残り性、接着性（接着強度）（対ＯＰＰ、および対ＰＥＴ）を実施例１と同様の方法で測定した。結果を表５に示す。
【００８５】
比較例３
攪拌機を備えたステンレスビーカーに、ＰＰワックス；ＮＰ０５５を５重量部、テルペンフェノール樹脂；Ｔ−３０を４重量部および合成オイル；ダイアナＮ９０を３４重量部投入し、加熱して溶融した。加熱は内容物が１５０℃以上にならないように注意して行った。溶融後攪拌を行い、均一溶融溶液とした後、１５０℃以下の温度を保ちながら、かつ攪拌を続けながら、この溶融物に熱可塑性エラストマー；Ｇ１６５２を１８重量部徐々に加え、添加終了後、次にテルペンフェノール樹脂；Ｔ−３０の４重量部を加え、最後に粘着付与剤；リカタックＦを３５重量部添加して、溶融均一混合物とし、冷却してアルカリ分散型ホットメルト粘着剤組成物を作製した。
【００８６】
得られたアルカリ分散型ホットメルト粘着剤組成物の軟化点および１４０℃の粘度を実施例１と同様にして測定したところ、軟化点は８４℃、１４０℃の粘度は１２００ｍＰａ・ｓであった。
【００８７】
また、得られたアルカリ分散型ホットメルト粘着剤組成物のアルカリ剥離性、糊残り性、接着性（接着強度）（対ＯＰＰ、および対ＰＥＴ）を実施例１と同様の方法で測定した。結果を表５に示す。
【００８８】
比較例４
攪拌機を備えたステンレスビーカーに、パラフィンワックス；１４０℃パラフィンを５重量部、テルペンフェノール樹脂；Ｔ−３０を２．５重量部および合成オイル：ダイアナＮ９０を３５重量部投入し、加熱して溶融した。加熱は内容物が１５０℃以上にならないように注意して行った。溶融後攪拌を行い、均一溶融溶液とした後、１５０℃以下の温度を保ちながら、かつ攪拌を続けながら、この溶融物に熱可塑性エラストマー；Ｇ１６５２を２０重量部徐々に加え、添加終了後、次にテルペンフェノール樹脂；Ｔ−３０の２．５重量部を加え、最後に粘着付与剤；リカタックＦを３５重量部添加して、溶融均一混合物とし、冷却してアルカリ分散型ホットメルト粘着剤組成物を作製した。
【００８９】
得られたアルカリ分散型ホットメルト粘着剤組成物の軟化点および１４０℃の粘度を実施例１と同様にして測定したところ、軟化点は６８℃、１４０℃の粘度は１３００ｍＰａ・ｓであった。
【００９０】
また、得られたアルカリ分散型ホットメルト粘着剤組成物のアルカリ剥離性、糊残り性、接着性（接着強度）（対ＯＰＰ、および対ＰＥＴ）を実施例１と同様の方法で測定した。結果を表５に示す。
【００９１】
なお、比較例１〜４のアルカリ分散型ホットメルト粘着剤組成物の組成を纏めて表４に示す。
【００９２】
【表４】
2010090185.tif 000005
【００９３】
【表５】
2010090185.tif 000006
【００９４】
表２および表３から、本発明のアルカリ分散型ホットメルト粘着剤組成物は、ＰＥＴボトルからラベルを糊残りなく手剥がしすることができ、またアルカリ剥離適性を有することから、ＰＥＴリサイクル推進協議会のリサイクル適性のＢランクに該当する。一方、表４および表５から、比較例１、２のアルカリ分散型ホットメルト粘着剤組成物は、ＰＥＴボトルからラベルを剥がしたときに糊残りすることから、ＰＥＴリサイクル推進協議会のリサイクル適性で、Ｂ以上とならないことが分かる。また、比較例３のアルカリ分散型ホットメルト粘着剤組成物は、アルカリ剥離性がないことから、ＰＥＴリサイクル推進協議会のリサイクル基準の要件を満たさない。さらに、比較例４のアルカリ分散型ホットメルト粘着剤組成物は、ＯＰＰフィルムとの強度が０．４Ｎ／１５ｍｍ未満で弱いことから、輸送中など剥離してしまい、ラベル用粘着剤としての要件を満たさない。
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を含むことを特徴とするアルカリ分散型ホットメルト粘着剤組成物。
【請求項２】
無水マレイン酸をグラフト重合させたポリプロピレンワックス（Ｅ）の酸価が３０〜１００であることを特徴とする請求項１に記載のアルカリ分散型ホットメルト粘着剤組成物。
【請求項３】
熱可塑性エラストマー（Ａ）１５重量部以上２５重量部以下、ロジン系粘着付与剤（Ｂ）３０重量部以上４０重量部以下、テルペンフェノール樹脂（Ｃ）１重量部以上１０重量部以下、合成オイル（Ｄ）３０重量部以上４０重量部以下、無水マレイン酸をグラフト重合させたポリプロピレンワックス（Ｅ）１重量部以上１０重量部以下を合計１００重量部となるように配合してなる請求項１または２に記載のアルカリ分散型ホットメルト粘着剤組成物。
【請求項４】
軟化点が６０℃以上９５℃以下である請求項１〜３のいずれかに記載のアルカリ分散型ホットメルト粘着剤組成物。
【請求項５】
熱可塑性エラストマー（Ａ）、酸価が１００ｍｇＫＯＨ／ｇ以上３００ｍｇＫＯＨ／ｇ以下であるロジン系粘着付与剤（Ｂ）、テルペンフェノール樹脂（Ｃ）、合成オイル（Ｄ）および無水マレイン酸をグラフト重合させたポリプロピレンワックス（Ｅ）を９０℃以上１８０℃以下の溶解温度でブレンドすることを特徴とするアルカリ分散型ホットメルト粘着剤組成物の製造方法。
【請求項６】
請求項１〜４のいずれかに記載のアルカリ分散型ホットメルト粘着剤組成物を用いてラベルを接着した容器。
【請求項７】
ラベルが胴巻きラベルであることを特徴とする請求項６に記載の容器。
【請求項８】
容器がポリエチレンテレフタレートからなるプラスチック容器であることを特徴とする請求項６または７に記載の容器。
【請求項９】
ラベルが延伸ポリプロピレンフィルムからなることを特徴とする請求項８に記載の容器。
【請求項１０】
ラベル印刷面に前記アルカリ分散型ホットメルト粘着剤組成物が塗工され、容器に接着されることを特徴とする請求項６〜９のいずれかに記載の容器。
【請求項１１】
請求項１〜４のいずれかに記載のアルカリ分散型ホットメルト粘着剤組成物をラベルに塗工して容器に貼り付けることを特徴とするラベルが接着された容器の製造方法。
【手続補正２】
【補正対象書類名】明細書
【補正対象項目名】００２４
【補正方法】変更
【補正の内容】
【００２４】
［９］ラベルが延伸ポリプロピレン（ＯＰＰ）フィルムからなることを特徴とする上記［８］項に記載の容器。